(57)【要約】      （修正有）【課題】水や溶液やその他の液体中を浮遊しながら収納している物品がその液体と接触できるようにした球形の液中浮遊用容器を提供する。【解決手段】浮力を有する核部球形体１の外周にスペーサー３を介して大径の外側球形体２を取り付けてなる二重球形構造体にして、当該外側球形体の周壁は通水性を有するように形成されているとともに、前記核部球形体と外側球形体との間の所定間隙により物質収納室を形成するように液中浮遊用容器を構成する。【選択図】図３
0003147742.tif 000002
【実用新案登録請求の範囲】
【請求項１】
浮力を有する核部球形体の外周にスペーサーを介して大径の外側球形体を取り付けてなる二重球形構造体にして、当該外側球形体の周壁は通水性を有するように形成されているとともに、前記核部球形体と外側球形体との間の所定間隙により物質収納室を形成するようにしたことを特徴とする液中浮遊用容器。
【請求項２】
浮力を有する核部球形体と、その外周に所定間隙を維持して物質収納室を形成する大径の外側球形体とからなる二重球形構造体において、
当該核部球形体の上下両極部には、それぞれ中心線上の外方に突出するスペーサーを形成しておき、
当該外側球形体は、通水性を有する材料にて上部半球形体と下部半球形体に分割構成されており、その上部半球形体の上極部と、下部半球形体の下極部には、それぞれ取付部が配設されており、
前記核部球形体のスペーサーと前記取付部とを螺着することにより核部球形体の外周にスペーサーを介して上部半球形体と下部半球形体とが取付けられ組合わさって外側球形体が形成され、これによって核部球形体と外側球形体との間の所定間隙により物質収納室を形成した二重球形構造体の液中浮遊用容器が構成され、
前記核部球形体のスペーサーと前記取付部との螺着を取り外すことにより、当該二重球形構造体の外側球形体が解体されて、上部半球形体と下部半球形体とが分離し、前記核部球形体と外側球形体との間に形成される物質収納室に物質を収納したり、取出したりすることができるようにしたことを特徴とする液中浮遊用容器。
【請求項３】
前記浮力を有する核部球形体は、球形の中心部が中空状態となるように形成してその中空部に比重の軽い気体又は浮力材を封入して、液中浮遊用容器が液体中を浮遊することのできる浮力を調整し得るようにしたことを特徴とする請求項１又は請求項２に記載の液中浮遊用容器。
【請求項４】
前記外側球形体の周壁は、金網状板材又は薄板材に小さな穴が多数穿設されたパンチング板材を用いて形成されており、液中では物質収納室内に通水して収納した物質と液体とが接触し得るようにしたことを特徴とする請求項１又は請求項２に記載の液中浮遊用容器。
【請求項５】
二重球形構造体の物質収納室内を区分できるように形成した区分体を用意しておき、当該区分体を物質収納室内に収納することにより物質収納室内を必要に応じて所定の区画数に区分できるようにしたことを特徴とする請求項１又は請求項２に記載の液中浮遊用容器。
【請求項６】
核部球形体の外周に、スペーサーを介して上部半球形体と下部半球形体とが取付けられ、組み合わさって外側球形体が形成されたとき、上部半球形体と下部半球形体との当接部をリング体又はテープ体にて固定し、目隠しするようにしたことを特徴とする請求項２に記載の液中浮遊用容器。
【考案の詳細な説明】
【技術分野】
【０００１】
本考案は、水や溶液やその他の液体中を浮遊しながら収納している物品がその液体と接触できるようにした球形の液中浮遊用容器に関する。
【背景技術】
【０００２】
近年、自然環境の汚染が社会問題になっているが、その大きな問題の一つが、生活排水や産業排水による河川や湖や海など水の汚染をどのように改善するかである。このような水質改善処理に際しては、水と改善物質とが沈降せずに浮遊した状態で長時間接触することが望ましい。また、水中で生物を養殖するような場合にも浮遊状態で水と養殖対象物が長時間接触するようにしなければならない。
その他、水中の浮遊物を回収したり、溶液中で触媒作用をさせたり、吸着作用をさせたり、着色又は脱色作用をさせたり、殺菌作用をさせたりするなど多様な用途の場合にも長時間接触が必要である。このように、多くの分野で水中を浮遊しながら水や溶液などの液体と物質が長時間接触させることができる手段の開発が望まれている。
【０００３】
このような要請に応えるための方法として、従来、容器内に物質を入れて液体中に沈めておくとか、液体にフロートを浮かべたり液体の上部に支持体を配設しておき、これに吊り下げ具をもって物質を直接又は容器に入れて液体中に吊り下げておくなどの方法が一般的に行われている。
【０００４】
しかし、前者の方法は、物質を液体中に沈めてしまうので、物質と液体との接触作用が底付近に限定されてしまい効率がよくない。また、後者の方法は、仕掛けが大掛かりとなることが多く、しかも液体との接触態様が常に特定されるため、液体の流れや水位の変化に対応しにくく、均一で効率的な接触に向いていない難点があった。このため水中を常に浮遊しながら、液体の流れや水位の変化があっても効率良く安定的に物質と液体とが接触するような手段や道具の開発が望まれている。しかし、収納する物質の比重は様々で、液体中を浮遊するのに適した浮力に調整することが難しいし、フロートと物質収納部が一体で構成に無駄がなく、しかも液体との接触が可及的に効率的な構造にすることも難しい。
【０００５】
そこで、水中を浮遊しながら水などの液体と物質とを長時間接触させることができる先行技術を調べたところ、次のようなものがあった。
特許文献１（特開平１０−１６５９７３号公報）には、適宜形状の浮体の下部に浮子を取付け、該浮子の下部に銅線又は銅線と同等の殺菌作用のある線を編み込んだブラッシュ状の水との接触部材を垂下させて成ることを特徴とする水質改善用水中浮遊体である。本発明は、いわゆる吊り下げ方式の水質改善用水中浮遊体であり、水深が５ｍ程度の比較的浅い沼、池、湖の水質改善に用いるのに適しているが、浮子と接触部材とが離れていて構成が大きくなるうえ、水の流れや水位の変化に対応するのが難しい。
【０００６】
特許文献２（特開平０５−２２０４８６号公報）には、「電気粒状物の集合体を収納した球形容器と、この球形容器にその電気石粒状物の集合体は通過させず水のみを通過させる通水孔を設け、更にこの容器を通過させる通気孔を設け、更にこの容器を通常時にはその洗濯槽の水面に浮上させその洗濯時にはその洗濯時にはその洗濯槽の水の渦の中心部に吸引される程度の浮力を有した粒状浮力体の集合体を設けた電気石使用の洗濯用球形浮遊活水器」が記載されている。しかしこの活水器は球形容器の中に電気石粒状物と粒状浮力体とを単に収納しているだけの構造である。その構造は簡単であるが、それは常に電気石粒状物が下位に粒状浮力体が上位に分離した姿勢となっていて、球形容器であっても回転しないので水と電気石粒状物との接触は常に下位半分だけとなり、均一で効率的なのものではない。また、この発明では、特殊な粒状浮力体を用意しなければならない点で大変である。
【０００７】
特許文献３（特開２００３−１４４０００号公報）には、「面積の大きな浅いかご状の物を水中に沈め、要所要所をフロートに継ぎ水中一定の深さの所に吊り下げて浮遊させ、その中に植生マットや小石等を敷き並べ、水生植物や小動物が生息できるようにしたもの」が記載されている。本発明はいわゆる吊り下げ方式の水中浮遊礁である。これもフロートと接触部材とが離れていて構成が大掛かりになるうえ、姿勢は一定に保たれているため、水の流れや水位の変化に対応するのが難しい。
【０００８】
【特許文献１】特開平１０−１６５９７３号公報
【特許文献２】特開平０５−２２０４８６号公報
【特許文献３】特開２００３−１４４０００号公報
【考案の開示】
【考案が解決しようとする課題】
【０００９】
本発明者は、水などの液体中を常に浮遊しながら当該液体と物質を長時間接触を効率良くさせることのできる浮力付き容器を開発することにした。その開発目標は、（１）容易に所要の目的物を収納したり、取り出したりできる多目的容器であって、水中を浮遊する機能をもったものであること。（２）形が単純で浮力機能部と物質収納部が一体化しながら、液体との接触機能が優先する無駄がない球形容器であること。（３）液体の浮遊中に容器の姿勢が変わりやすく収納した物質と液体が均等に且つ効率的に接触できるような構造にすること。これらの条件を満たす浮遊型の容器を開発することを目的にした。
【００１０】
本願考案は、上記のような技術的課題を解消するため、核部分にフロート部があり、その外側に通水性のある物質収納室を有する二重球形構造体の浮遊型容器を具現化することにした。
【課題を解決するための手段】
【００１１】
実用新案登録を受けようとする第１考案は、浮力を有する核部球形体の外周にスペーサーを介して大径の外側球形体を取り付けてなる二重球形構造体にして、前記核部球形体と外側球形体との所定間隙に物質収納室を形成するとともに、当該外側球形体の周壁が通水性を有するように形成して、液体中に入れたとき浮遊しながら、物質収納室内に液体が通水するようにしたことを特徴とする液中浮遊用容器である。
【００１２】
当該第１発明は、本考案に係る液中浮遊用容器の基本発明である。当該液中浮遊用容器は、外観が球形をしているが、その中心部にフロート機能を有する核部球形体を形成し、更にその外周にスペーサーを介して大径の外側球形体を取り付けた二重球形構造体としたことが特徴である。そして当該核部球形体と外側球形体との所定間隙が物質収納室となるように構成したこと。しかも当該外側球形体の周壁には多数の孔が穿設されている板材か、網状の板材で形成されていて通水性を有する球形体になっていることも特徴である。尚、前記核部球形体のフロート力は、物質収納室に物質を収納したとき、液中浮遊用容器全体の比重が０．９〜１．０になるように設計調整しておくのが望ましい。従って、当該物質収納室内に物質を収納したうえ、本発明に係る液中浮遊用容器を液体中に入れると、浮遊しながら物質収納室内に液体が入り込んできて当該収納室内の物質と液体とが接触することになる。更に、本考案に係る液中浮遊用容器は、核部球形体も外側球形体も球形なので液体中での姿勢が定まらず、浮遊中はあらゆる方向に回転しその姿勢が変わり易くなっている。そのため本考案に係る液中浮遊用容器は、物質と液体との接触が均等で効率的なものとなっている。
【００１３】
尚、前記物質収納室内に収納する物質は、凝集剤、吸着剤、殺菌剤、抗菌剤、着色剤、脱色剤、味付材、酵素担持体、触媒担持体、有機質物分解微生物担持体、水質改善セラミック、酸化チタン、トルマリン、ゼオライトなど様々考えられるが、水質や液質を用途に応じて改良したり、変化させたりするものであればいずれでも良く、ここに挙げた事例に限る必要はないこと勿論である。
【００１４】
実用新案登録を受けようとする第２考案は、浮力を有する核部球形体と、その外周に所定間隙を維持して物質収納室を形成する大径の外側球形体とからなる二重球形構造体において、当該核部球形体の上下両極部には、それぞれ中心線上の外方に突出するスペーサーを形成しておき、当該外側球形体は、通水性を有する材料にて上部半球形体と下部半球形体に分割構成されており、その上部半球形体の上極部と、下部半球形体の下極部には、それぞれ取付部が配設されており、前記核部球形体のスペーサーと前記取付部とが螺着できるように構成されている。そのため、当該上部半球形体と下部半球形体とを組み合わせて前記核部球形体のスペーサーの頭部と前記取付部とが螺着することにより核部球形体の外周にスペーサーを介して上部半球形体と下部半球形体とが組合わさって外側球形体が形成される。するとこれによって核部球形体と外側球形体との間の所定間隙に物質収納室が形成され、二重球形構造体の液中浮遊用容器が構成される。また、前記核部球形体のスペーサーと前記取付部との螺着を取り外すことにより、当該二重球形構造体の外側球形体が解体されて、上部半球形体と下部半球形体とが分離される。これによって前記核部球形体と外側球形体との間に形成される物質収納室に物質を収納したり、取出したりすることが自在にできるようにしたことを特徴とする液中浮遊用容器である。
【００１５】
当該第２発明は、外側球形体を上部半球形体と下部半球形体に分割構成し、これを螺子で着脱可能にして、核部球形体と外側球形体との間に形成される物質収納室に物質を収納したり、取出したりすることができるようにしたことを特徴とする液中浮遊用容器である。
【００１６】
実用新案登録を受けようとする第３考案は、前記浮力を有する核部球形体は、球形の中心部が中空状態となるように形成してその中空部に比重の軽い気体又は発砲スチロールなどの浮力材を封入自在に構成して、液中浮遊用容器が液体中を浮遊することのできる浮力を調整し得るようにしたことを特徴とする請求項１又は請求項２に記載の液中浮遊用容器である。
【００１７】
当該第４考案は、核部球形体の中空部に比重の軽い気体又は浮力材を封入自在に構成して、核部球形体の浮力を、物質収納室に物質を収納したとき、液中浮遊用容器全体の比重が０．９〜１．０になるように調整可能にしておくことが望ましい。
【００１８】
実用新案登録を受けようとする第４考案は、前記外側球形体の周壁は、金網状板材又は小さな穴が多数穿設されたパンチング板材を用いて形成されており、液中では物質収納室内に通水して収納した物質と液体とが接触し得るようにしたことを特徴とする請求項１又は請求項２に記載の液中浮遊用容器である。
【００１９】
実用新案登録を受けようとする第５考案は、二重球形構造体の物質収納室内を区分できるように形成した区分体を用意しておき、当該区分体を物質収納室内に収納することにより物質収納室内を必要に応じて所定の区画数に区分できるようにしたことを特徴とする請求項１又は請求項２に記載の液中浮遊用容器である。
【００２０】
実用新案登録を受けようとする第６考案は、核部球形体の外周に、スペーサーを介して上部半球形体と下部半球形体とが取付けられ、組み合わさって外側球形体が形成されたとき、上部半球形体と下部半球形体との当接部をリング体又はテープ体にて固定し、目隠しするようにしたことを特徴とする請求項２に記載の液中浮遊用容器である。
【考案の効果】
【００２１】
第１考案に係る液中浮遊用容器は、浮力を有する核部球形体の外周にスペーサーを介して大径の外側球形体を取り付けてなる二重球形構造体に構成してあり、その中心部の核部球形体は中空部にしてフロート機能を有しており、前記核部球形体と外側球形体との間には通水性を有する物質収納室を形成している。そのため、当該物質収納室内に物質を収納して液体に入れると、液体中を浮遊しながら物質収納室内で通水した液体と物質とが長時間接触することが出来る。
【００２２】
また、前記核部球形体も外側球形体も球形をしているので、その姿勢が常に回転しやすい特性がある。そのため、液体の浮遊中に水流や波や水圧変化や収納物質の移動などといった僅かな変動や刺激によっても回転して姿勢が変化するので、
物質と液体との接触が均等で効率的となる。
【００２３】
第２考案に係る液中浮遊用容器は、第１考案と本質的に同じ機能と効果を有しているが、特徴点は外側球形体を上部半球形体と下部半球形体に分割構成し、これを螺子で着脱可能にした点にある。その結果、核部球形体と外側球形体との間に形成される物質収納室に物質を収納したり、取出したりすることができるようになった。
【考案を実施するための最良の形態】
【００２４】
本考案の基本構成は、浮力を有する核部球形体と、その外周に所定間隙を維持して物質収納室を形成する大径の外側球形体とからなる二重球形構造体に構成する。その際、当該核部球形体の上下両極部には、それぞれ中心線上の外方に突出するスペーサーを形成しておく。当該核部球形体は、アルミ製板材を球形状に形成し、その中空部に空気などの液体より軽い気体や、発砲スチールなどを封入して所定の浮力を有するように構成する。また、当該外側球形体は、金網状板材又は薄板材に小さな孔が多数穿設されたパンチング板材を用いて球形状に周壁が形成されており、液中に入れたとき、物質収納室内に液体が通水してきて、収納した物質と液体とが接触し得るようにしたものである。
【００２５】
その際、外側球形体は、上部半球形体と下部半球形体に分割構成されており、その上部半球形体の上極部と、下部半球形体の下極部には、それぞれ取付部が配設されている。当該取付部は、上部半球形体の上極部と、下部半球形体の下極部に設けられたリング状の座金と取付用雄螺子とからなり、前記核部球形体のスペーサーの頭部には、取付用雌裸子が形成されている。
【００２６】
前記核部球形体のスペーサーと前記取付部とを螺着することにより核部球形体の外周にスペーサーを介して上部半球形体と下部半球形体とが取付けられ組合わさって外側球形体を形成する。これによって核部球形体と外側球形体との間の所定間隙により物質収納室を形成した二重球形構造体の液中浮遊用容器が構成される。このように組み合わさって外側球形体が形成されたとき、上部半球形体と下部半球形体との当接部をしっかりシーリングし、目隠しするためリング体を取り付けることにより液中浮遊用容器が完成する。
【００２７】
そして、前記核部球形体のスペーサーと前記取付部との螺着を取り外すと、当該二重球形構造体の外側球形体が解体されて、上部半球形体と下部半球形体とが分離し、前記核部球形体と外側球形体との間に形成される物質収納室に物質を収納したり、取出したりすることができるようになる。
【実施例１】
【００２８】
以下、本考案にかかる液中浮遊用容器を図示実施例に基づいて説明する。
図１は、本考案にかかる液中浮遊用容器の構成部品を分解した状態を示す斜視図であり、図２は、核部球形体を示す側面図であり、図３は、本考案にかかる液中浮遊用容器の縦断側面図であり、図４は、液中浮遊用容器の物質収納室を所定の区画数に区分するための区分体を収納した状態を示す縦断平面図であり、図５は、外側球形体の周壁を丸穴のパンチング板材で形成された実施例の液中浮遊用容器を示す斜視図である。また、図６は、外側球形体の周壁を金網状板材で形成された実施例の液中浮遊用容器を示す正面図であり、図７は、外側球形体の周壁を角孔のパンチング板材で形成された実施例の液中浮遊用容器を示す正面図である。
【００２９】
図１、図３に示すとおり、本考案に係る液中浮遊用容器は、浮力を有する核部球形体１とその外周に所定間隙を維持して物質収納室５を形成する大径の外側球形体２とリング体７からなる二重球形構造体に構成されている。
【００３０】
当該核部球形体１の上下両極部には、それぞれ中心線上の外方に突出するスペーサー３，３が形成されている。当該核部球形体１は、アルミ製板材を球形状に形成したもので、その中空部４に空気を封入して所定の浮力を有するように構成されている。また、当該外側球形体２は、金網状板材２ｃ（図６）又は薄板材に小さな孔が多数穿設されたパンチング板材２ｄ（図５、図７）を用いて球形状に周壁が形成されており、液中に入れたとき、物質収納室５内に液体が通水してきて収納した物質と液体とが接触し得るようにしたものである。当該外側球形体２は、ステンレス、アルミニューム又はプラスチック類など劣化しにくく汚れにくい材質を用いるのが望ましいが、材質が限られるものではない。図１に示したように、当該外側球形体２は、上部半球形体２ａと下部半球形体２ｂに分割構成されており、その上部半球形体２ａの上極部と、下部半球形体２ｂの下極部には、それぞれ取付部６，６が配設されている。当該取付部６，６は、上部半球形体２ａの上極部と、下部半球形体２ｂの下極部に設けられたリング状の座金６ａと取付用雄螺子６ｂとからなり、前記核部球形体１のスペーサー３，３の頭部には、取付用雌裸子３ａ，３ａが穿設されている。
【００３１】
前記核部球形体１のスペーサー３、３と前記取付部６，６とを螺着することにより核部球形体１の外周にスペーサー３，３を介して上部半球形体２ａと下部半球形体２ｂとが取付けられ組合わさって外側球形体１を形成する。これによって核部球形体１と外側球形体２との間の所定間隙により物質収納室５を形成した二重球形構造体の液中浮遊用容器が構成される。このように組み合わさって外側球形体２が形成されたとき、上部半球形体２ａと下部半球形体２ｂとの当接部をしっかりシーリングし、目隠しするためリング体７を取り付けることにより液中浮遊用容器が完成する。
【００３２】
まずリング体７を取り外した後、前記上部半球形体２ａ又は下部半球形体２ｂのいずれか一方の前記取付部６とスペーサー３との螺着を取り外す。すると、当該二重球形構造体の外側球形体２が解体されて、上部半球形体２ａ又は下部半球形体２ｂの一方を分離して取り外すことが出来る。そのうえで前記核部球形体１と外側球形体２との間に形成される物質収納室５に任意の物質を収納したり、取出したりすることができるようになる。
【図面の簡単な説明】
【００３３】
【図１】本考案にかかる液中浮遊用容器の構成部品を分解した状態を示す斜視図である。
【図２】液中浮遊用容器の核部球形体を示す側面図である。
【図３】本考案にかかる液中浮遊用容器の縦断側面図である。
【図４】液中浮遊用容器の物質収納室を所定の区画数に区分するための区分体を収納した状態を示す縦断平面図である。
【図５】外側球形体の周壁を丸穴のパンチング板材で形成された実施例の液中浮遊用容器を示す斜視図である。
【図６】外側球形体の周壁を金網状板材で形成された実施例の液中浮遊用容器を示す正面図である。
【図７】外側球形体の周壁を角孔のパンチング板材で形成された実施例の液中浮遊用容器を示す正面図である。
【符号の説明】
【００３４】
１：核部球形体
２：外側球形体
２ａ：上部半球形体
２ｂ：下部半球形体
２ｃ：金網状板材
２ｄ：パンチング板材
３：スペーサー
３ａ：取付用雌螺子
４：中空部
５：物質収納室
６：取付部
６ａ：座金
６ｂ：取付用雄螺子
７：リング体
８：区分体
【図１】
0003147742.tif 000003
【図２】
0003147742.tif 000004
【図３】
0003147742.tif 000005
【図４】
0003147742.tif 000006
【図５】
0003147742.tif 000007
【図６】
0003147742.tif 000008
【図７】
0003147742.tif 000009